(57)【要約】      （修正有）【課題】種子を真空状態のまま長期保存ができ、根の成長に合わせた栄養分を供給することで苗の成長を助長し、且つ栽培環境にも配慮する花の栽培用真空密閉容器の提供。【解決手段】熱処理殺菌して乾燥させたバーミキュライト層2に予め種子9を植え付けて真空状態に脱気したあと密閉し、さらに排水口兼通気口としてのプルトップ式開口部10を設けることによって真空密閉状態にすることができ、種子9の長期保存が可能となった。また根の成長過程に応じた栄養分をしみ込ませた層を２層にわたって設けることによって苗を丈夫にする栄養分を供給し且つ排出水を濾過することもでき、栽培環境が向上できた。さらに、予め植え付けられた種子9が容器1内で最適な位置を移動してしまわないために、種子9の大きさよりも小さなバーミキュライトで密度を高めた層2を形成することによって、種子9の位置を固定することができた。【選択図】図１
2005312411.tif 000002
【特許請求の範囲】
【請求項１】
熱処理で殺菌し乾燥させたバーミキュライト層に、花の種子を予め植え付けて真空状態に脱気したあと密閉した容器で、底面部には排水口兼通気口としてのプルトップ式開口部を設けることによって本容器を長期間真空状態に保つことのできる花の栽培用真空密閉容器である。
【請求項２】
花の種類によって最良な栄養分をしみ込ませた化学綿を種子の植え付けられたバーミキュライト層の下に配して根が成長する初期過程においてバーミキュライトに混合された肥料とともに効果的な栄養分を与える第１層の化学綿層と、容器底部に配置され同じく栄養分をしみ込ませ、さらに給水時に容器底部から排水される水をきれいに濾過して環境に良い排水を実現できる第２層の化学綿層を有する請求項１に記載した花の栽培用真空密閉容器である。
【請求項３】
排水される水の受け皿として、水やりの際の過剰な水を容器外へ徐々に少量づつ排水するためと、通気を兼ねた数個の穿孔を有した底蓋カバーを設けた請求項１に記載した花の栽培用真空密閉容器である。
【請求項４】
花の種類によって選択された種子の最適な植え付け位置を移動する事なく固定するため、その種子の大きさよりも小さなバーミキュライトで密度を高めた第１層のバーミキュライト層と、第１層の化学綿層の下に配する根の成長を妨げないよう密度を緩めた大きめのバーミキュライトで形成される第２層のバーミキュライト層を有する請求項１に記載する花の栽培用真空密閉容器である。
【発明の詳細な説明】
【技術分野】
【０００１】  本発明は花の栽培用容器に関するものである。
【背景技術】
【０００２】  従来、花の栽培容器としては、真空脱気処理をしていないため、種子と土壌が容器内で別々に包装されていて、水を与えると膨らむ土壌やそのままの土壌の上に種子を撒いて栽培し、且つ容器の底には排水口のないものがあった。【０００３】  また、種子が植え付け位置に予め植えられている花栽培用密封容器があるが、容器の底面部の排水用開口部が紙製の切込みとなっていて完全な密閉状態ではなかった。【０００４】さらに、従来からあるバーミキュライトを使用した容器は、肥料を混合したバーミキュライトのみで容器内が構成されていた。
【発明の開示】
【発明が解決しようとする課題】
【０００５】  以上に述べた従来の花の栽培用密封容器では、水で膨らませた土壌等に種子を撒くという煩わしさがあった。【０００６】  容器の底面部については排水用開口部が紙製の切込みとなっていたため、容器内が真空状態にならず種子を長期間保存する事ができなかった。【０００７】  また、根がその成長に合わせた栄養分を摂取できるような工夫がなされておらず、栽培の途中で苗の成長が止まってしまうことも多く見られた。【０００８】  容器底面部に排水口がない容器の場合では水が腐り根腐れを起こすことも多く見られさらにバーミキュライトのみで構成されている容器の場合は、バーミキュライトを浸透して通過してくる余分な水が肥料や栄養分とともに汚れた水となって容器外に排出され栽培する室内のテーブルやデスク等の環境を悪化させていた。【０００９】  種子を植え付けた位置が容器内で移動してその種子の最適な植え付け位置が固定されず、芽が出ずに終わってしまうことも多かった。【００１０】  本発明は、このような従来の構成が有していた問題を解決しようとするものであり、種子を真空状態のまま長期保存できるようにし、且つ根の成長に合わせた栄養分を供給することによって苗の成長を助長し且つ栽培環境にも配慮するものである。
【課題を解決するための手段】
【００１１】  本発明は上記課題を解決するために、熱処理殺菌して乾燥させたバーミキュライト層に予め種子を植え付けて本容器内を真空状態に脱気し、さらに容器底面部には排水口兼通気口としてのプルトップ式開口部を設けることによって本容器を長期間真空状態に保つことができるようになった。【００１２】  また、根の成長に合わせた栄養分を供給するために、花の種類によって最良な栄養分をしみ込ませた化学綿を種子を植え付けたバーミキュライト層の下に配することによって、根が成長する初期過程においてバーミキュライト層に混合された肥料とともに効果的な栄養分を与える第１層の化学綿層を設けたものである。【００１３】  さらに第２層のバーミキュライト層の下、容器底部に吸水性に優れた第２層の化学綿層を設け、容器内を通過してくる余分な水に溶け込んだ肥料や栄養分やバーミキュライトの汚れを濾過することができるようになった。【００１４】  排水される水の受け皿として、底蓋カバーに数個の穿孔を設けることによって水やりの際の過剰な水を徐々に少量づつ排水できるようになった。【００１５】  予め植え付けられた種子が容器内で最適な位置を移動してしまわないために、種子の大きさよりも小さなバーミキュライトで密度を高めた層を形成することによって、種子の位置を固定することができた。
【発明の効果】
【００１６】  上述したように本発明の花の栽培用真空密閉容器は、容器内を真空状態にすることができ種子の長期保存が可能となった。【００１７】  さらに、根の成長過程に合わせた栄養分を化学綿層によって供給できるため花の栽培における失敗が少なくなった。【００１８】  従来、バーミキュライト層に含まれる肥料や第１層の化学綿に含まれる栄養分を吸収して容器外に排出される余分な水が第２層の化学綿層によって濾過されるため室内での栽培環境が飛躍的に良好なものとなった。
【発明を実施するための最良の形態】
【００１９】  以下、本発明の実施の形態を図１〜図３に基づいて説明する。【００２０】  図１の１容器内は熱処理殺菌して乾燥させたバーミキュライトに種子を予め植え付けた後真空状態に脱気して密閉したもので、１２上蓋は１０プルトップによって簡単に開けられる。【００２１】  図１の２第１層バーミキュライトには予め９種子が植え付けられている。この第１層バーミキュライト層はその種類によって適切に植えられている種子の位置が移動しないように種子や球根の大きさよりも小さなバーミキュライトで密度を高めた状態となっている。【００２２】  図１の３第１層化学綿には種子の初期発育段階に必要な栄養分がしみ込んでいる。【００２３】  図１の４第２層バーミキュライトには根の成長に合わせた肥料が混合されている。【００２４】  図１の５第２層化学綿は水量過多となった水が容器外へ排出される前に栄養分や肥料やバーミキュライトの汚れを濾過する事ができる。【００２５】  図１の６フィルターネットはバーミキュライトや化学綿が水と一緒に容器外へ流れ出してしまうのを防いでいる。【００２６】  図１の７底蓋カバーと８穿孔は、水の受け皿とともにオーバーフローする水を徐々に容器外へ排出し且つ通気口としての役割も果たしている。【００２７】  図２の１１底面プルトップ付き１３底蓋は容器内を真空密封状態に保ち種子を長期間保存できるようにし、このプルトップを開けて花の栽培を開始すると排水口兼通気口としての役割を担うものである。
【図面の簡単な説明】
【００２８】
【図１】  本発明の実施形態を示す花の栽培用真空密閉容器の断面図
【図２】  同花の栽培用真空密閉容器の低面俯瞰図
【図３】  同底面底蓋カバーの俯瞰図
【符号の説明】
【００２９】  １  容器
２  第１層バーミキュライト
３  第１層化学綿
４  第２層バーミキュライト
５  第２層化学綿
６  フィルターネット
７  底蓋カバー
８  穿孔
９  種子
１０  プルトップ
１１  底面プルトップ
１２  上蓋
１３  底蓋
【図１】
2005312411.tif 000003
【図２】
2005312411.tif 000004
【図３】
2005312411.tif 000005